(57)【要約】【課題】  仮設足場においてグラビティロックを簡便に着脱可能とするとともに、再利用性の向上にも寄与する技術を提供する。【解決手段】  足場パイプ２にグラビティロック３を備えた仮設足場１であって、足場パイプ２にはグラビティロック３と連結するための雄ねじ２０を配設する一方、グラビティロックには第１のねじ手段と螺合する雌ねじ３０を配設し、足場パイプ２に対してグラビティロック３を脱着可能とした仮設足場１を提供する。【選択図】図１
2019157446.tif 000002
【特許請求の範囲】
【請求項１】
足場パイプにグラビティロックを備えた仮設足場であって、
足場パイプにはグラビティロックと連結するための第１のねじ手段を配設する一方、
グラビティロックには該第１のねじ手段と螺合する第２のねじ手段を配設し、
足場パイプに対してグラビティロックを脱着可能とした
ことを特徴とする仮設足場。
【請求項２】
前記第１のねじ手段として雄ねじを突出させると共に、
前記第２のねじ手段としてグラビティロックの一端芯部には雌ねじを設ける
ことを特徴とする請求項１に記載の仮設足場。
【請求項３】
前記雄ねじが、前記足場パイプに固設されている
ことを特徴とする請求項２に記載の仮設足場。
【請求項４】
前記雄ねじが、前記足場パイプに予め備えた孔部と、該孔部に挿通するボルトから構成される
ことを特徴とする請求項２に記載の仮設足場。
【請求項５】
請求項２に記載の仮設足場における、グラビティロック。
【請求項６】
請求項２に記載の仮設足場における、雄ねじを突出させた足場パイプ。
【発明の詳細な説明】
【技術分野】
【０００１】
本発明は、仮設足場及びグラビティロック、足場パイプに関し、特に仮設足場に手摺や幕・シートを取り付けるためのグラビティロックを装着する機構に係る。
【背景技術】
【０００２】
建設現場や、イベント会場などにおいて足場パイプを用いた仮設足場が広く用いられている。仮設足場には法律による規定や使用性の向上のために手摺や幕・シートが設置される。そして、これらの設置のためにグラビティロックと呼ばれるピン状の部材を付設し、手摺や幕に設けられた孔部にこのグラビティロックを挿通して固定している。
【０００３】
従来、このグラビティロック自体には他の部材と接続するための構造は備えられておらず、単管パイプに溶接固定して用いられている。
関連する特許文献１および２には、グラビティロックを有する仮設足場用側枠や階段用仮設手摺が開示されているが、いずれにもグラビティロックを着脱自在とする構造は開示されていない。
【０００４】
また、特許文献３，４には、ロック機構を有する足場パイプが開示されているが、ロック機構を雄ねじと雌ねじの組合せで着脱自在とする着想は開示されていない。
【先行技術文献】
【特許文献】
【０００５】
【特許文献１】実開昭59-132845号公報
【特許文献２】実公平7-16846号公報
【特許文献３】特許3306001号
【特許文献４】特開2017-180074号公報
【発明の概要】
【発明が解決しようとする課題】
【０００６】
上記従来技術によれば、グラビティロックを着脱自在にする構成はいずれにも開示されておらず、本発明は仮設足場においてグラビティロックを簡便に着脱可能とするとともに、再利用性の向上にも寄与する技術を提供することを目的とする。
【課題を解決するための手段】
【０００７】
上記課題を解決するために、本発明は次のような仮設足場を提供する。
すなわち、足場パイプにグラビティロックを備えた仮設足場であって、足場パイプにはグラビティロックと連結するための第１のねじ手段を配設する一方、グラビティロックには該第１のねじ手段と螺合する第２のねじ手段を配設し、足場パイプに対してグラビティロックを脱着可能とすることを特徴とする。
【０００８】
上記の第１のねじ手段として雄ねじを突出させると共に、第２のねじ手段としてグラビティロックの一端芯部には雌ねじを設ける構成でもよい。
【０００９】
上記の雄ねじが、足場パイプに溶接、接着等によって固設されている構成でもよい。
あるいは、上記の雄ねじが、足場パイプに予め備えた孔部と、その孔部に挿通するボルトから構成される構成でもよい。
【００１０】
本発明は仮設足場だけでなく、グラビティロックの単体として提供することもできる。
また、雄ねじを突出させた足場パイプの単体として提供することもできる。
【発明の効果】
【００１１】
本発明は、次のような効果を奏する。
すなわち、足場パイプとグラビティロックをねじ手段により螺合可能としたことにより、グラビティロックを簡便に着脱自在とし、使用性の向上に寄与する。また、従来のようにグラビティロックを溶接すると、不要な場合にこれを除去する手間や、グラビティロックが邪魔になる場合があるが、本発明によれば簡単に取り外しが可能であり、再利用も容易となる。
【００１２】
さらに、グラビティロックを溶接した場合、グラビティロックの機構に熱が悪影響を及ぼし、内部に設けたばね機構の固着や、変形などの原因となる。本発明によれば溶接する必要がないため、これらの悪影響を排除することができる。
【図面の簡単な説明】
【００１３】
【図１】本発明に係る仮設足場である。
【図２】本発明におけるグラビティの着脱の説明図である。
【図３】本発明におけるグラビティの着脱の説明図である。
【図４】本発明のグラビティの断面図である。
【発明を実施するための形態】
【００１４】
以下、本発明の実施形態を、図面に示す実施例を基に説明する。なお、実施形態は下記に限定されるものではない。
図１は、本発明に係る仮設足場（１）を構成する足場パイプ（２）とグラビティロック（３）を示す図である。
【００１５】
図示されるように、足場パイプ（２）にはグラビティロック（３）と連結するための第１のねじ手段が配設される。本実施例における第１のねじ手段は、足場パイプ（２）から突出させた雄ねじ（２０）である。
雄ねじ（２０）は足場パイプ（２）に設けた孔部（２１）に挿通するボルト（２２）の先端が突出して形成されている。
【００１６】
一方、グラビティロック（３）には上記の第１のねじ手段と螺合する第２のねじ手段を備えている。本実施例では第２のねじ手段としてグラビティロックの一端芯部には雌ねじを形成している。雌ねじの構造については、図４に断面図を示す。
【００１７】
グラビティロック（３）の構成は公知であり説明を省略するが、ばね（３２）の弾性によって跳ね上がり可能な突起部（３１）が外周に突出することによって、グラビティロック（３）を挿通した幕・シートなどが抜けることを防止する。
なお、グラビティロックには、図示されるような跳ね上がり式のタイプと、先端が先折れして抜け防止をする先折れ式のタイプがあるが、挿通後に操作の必要がない跳ね上がり式が優れる。
【００１８】
この点、跳ね上がり式では内部にばね（３２）を備えており、従来のようにグラビティロック（３）を溶接すると、その熱により動作不良の原因となっていた。本発明では溶接する必要がないため、跳ね上がり式のグラビティロック（３）を用いることが容易になる。
【００１９】
図４に示すように、グラビティロック（３）の一端の芯部には雌ねじ（３０）が形成されている。従来から市販される製品においてもグラビティロック（３）の芯部が中空になっているものは知られているが、本発明ではここに雌ねじを形成していることに特徴がある。
【００２０】
以上のような構成を備えることで、本発明ではグラビティロック（３）を足場パイプ（２）に対して自在に着脱が可能となる。
まず、図２に示すように、ボルト（２２）を足場パイプ（２）の孔部（２１）に挿通し、ボルトの先端を突出させる。そして、この雄ねじ（２０）に対してグラビティロック（３）の雌ねじ（３０）を螺合させる。
【００２１】
図３に示すように、グラビティロック（３）が固定されるので、この後は従来からの使用例の通り幕・シートに挿通させたり、手摺等の部材の固定に用いることが出来る。
言うまでもなく、外す時にはグラビティロック（３）を回転して雄ねじか（２０）から取り外すことができるので、グラビティロック（３）もボルト（２２）も再使用することができる。
【００２２】
本実施例において、全長５０ｍｍのグラビティロック（３）に対して、雄ねじ（２０）の突出量は約１８ｍｍ（全長の約３６％）であり、ボルト径はＭ８である。グラビティロックを強固に固定するために、突出量は１０ｍｍないし２５ｍｍが好ましい。全長に対する割合としては、用いるグラビティロックの全長の２０％ないし５０％が好ましい。
【００２３】
本発明では雄ねじ（２０）の構成にボルト（２２）を用いる必要はなく、雄ねじだけを足場パイプ（２）に直接固設する構成でもよい。固設には溶接・接着等の方法を採ることができる。このように雄ねじ側を溶接するのであれば、グラビティロック（３）に対する上述した熱の問題を生じさせないことができる。
【００２４】
本発明ではグラビティロックの全長を必要最小限にするために、グラビティロック（３）の芯部に雌ねじ（３０）を形成する上記実施例が最適であるが、足場パイプ（２）の形状の制約や、グラビティロック（３）が小径である場合などに、雌雄を逆に構成してもよい。すなわち、グラビティロックの一端に雄ねじを形成すると共に、足場パイプ側に雌ねじを形成することができる。
【００２５】
この場合、グアビティロックに溶接を行わないようにグラビティロックを雄ねじ部分を含む長尺に構成し、雄ねじを切ることで形成することが好ましい。
また、足場パイプ（２）側は、孔部を設けた上で、孔部周囲にナットを溶接して形成してもよい。
【００２６】
図示において足場パイプとしては支柱を延長するための延長支柱部材を示しているが、本発明において足場パイプの用途や形状は全く限定されない。すなわち、代表的には支柱に用いられる足場パイプであるが、仮設足場を構成するために用いられる公知の部材が本発明における足場パイプに含まれる。
例えば、ジャッキベース、ブラケット、手摺、ブレス、トラスなどでもパイプ状であれば足場パイプに含まれる。パイプの断面も図示では環状であるが、四角形などの多角形などその他の断面形状でもよい。
【符号の説明】
【００２７】
１  仮設足場
２  足場パイプ
３  グラビティロック
２０  雄ねじ
２１  孔部
２２  ボルト
３０  雌ねじ
３１  突起部
３２  ばね
【図１】
2019157446.tif 000003
【図２】
2019157446.tif 000004
【図３】
2019157446.tif 000005
【図４】
2019157446.tif 000006